(57)【要約】【課題】供給汚泥の性状が急に変化したとき等においても、迅速で、信頼度の高い対応が可能なベルト型濃縮装置の運転方法を提供する。【解決手段】透水性を有する無端ベルト５上で汚泥８を搬送しながら重力脱水するベルト型濃縮装置１の運転方法であって、無端ベルト５を通過するろ液１４の通過流量に基づいて、汚泥８に注入する凝集剤９の注入量を調節する。【選択図】図１
2018176108.tif 000002
【特許請求の範囲】
【請求項１】
透水性を有する無端ベルト上で汚泥を搬送しながら重力脱水するベルト型濃縮装置の運転方法であって、
無端ベルトを通過するろ液の通過流量に基づいて、汚泥に注入する凝集剤の注入量を調節することを特徴とするベルト型濃縮装置の運転方法。
【請求項２】
ろ液の通過流量が第一の所定流量以下になると、凝集剤の注入量を増加させ、ろ液の通過流量が第二の所定流量以上になると、凝集剤の注入量を減少させることを特徴とする請求項１記載のベルト型濃縮装置の運転方法。
【請求項３】
無端ベルトを通過するろ液の通過流量に基づいて、汚泥に注入する凝集剤の注入量を調節する第一の制御系統と、
無端ベルトから排出される濃縮汚泥の濃度に基づいて、汚泥に注入する凝集剤の注入量を調節する第二の制御系統とを有し、
第一の制御系統と第二の制御系統とを並列に実行し、
第二の制御系統における濃縮汚泥の濃度に基づいた凝集剤の注入量の一回当りの第二の増減値を、第一の制御系統におけるろ液の通過流量に基づいた凝集剤の注入量の一回当りの第一の増減値よりも、小さく設定したことを特徴とする請求項１又は請求項２に記載のベルト型濃縮装置の運転方法。
【請求項４】
無端ベルトへ供給される供給汚泥の供給流量が基準の汚泥供給流量から増減した場合、供給汚泥の供給流量と基準の汚泥供給流量との比に応じて、凝集剤の注入量を補正することを特徴とする請求項１から請求項３のいずれか１項に記載のベルト型濃縮装置の運転方法。
【請求項５】
透水性を有する無端ベルト上で汚泥を搬送しながら重力脱水するベルト型濃縮装置であって、
無端ベルト上に供給される前の汚泥に凝集剤を注入する凝集剤注入手段と、
無端ベルトを通過するろ液の通過流量を測定するろ液流量測定手段と、
ろ液流量測定手段からの測定値に基づいて、凝集剤注入手段による凝集剤の注入量を調節する制御手段とを備えることを特徴とするベルト型濃縮装置。
【発明の詳細な説明】
【技術分野】
【０００１】
本発明は、例えば下水処理等に使用されるベルト型濃縮装置の運転方法およびベルト型濃縮装置に関する。
【背景技術】
【０００２】
従来、この種のベルト型濃縮装置としては、例えば図６に示すように、駆動ローラ１０１と従動ローラ１０２との間に、透水性を有する無端ベルト１０３が巻回されている。無端ベルト１０３の供給側端部には供給シュート１０４が設けれ、供給シュート１０４の上流側には凝集混和槽１０５が設けられている。凝集混和槽１０５では、高分子凝集剤１０６が注入された供給汚泥１０７の攪拌混合が行われる。
【０００３】
無端ベルト１０３の排出側端部から排出された濃縮汚泥１０８は排出口１０９からタンク１１０内に排出される。タンク１１０内には、濃縮汚泥１０８の濃度を測定する濃縮汚泥濃度計１１１が設けられている。
【０００４】
これによると、高分子凝集剤１０６を注入された供給汚泥１０７が凝集混和槽１０５に供給されて攪拌混合される。このようにして凝集させた供給汚泥１０７は、供給シュート１０４から回動する無端ベルト１０３上の供給側端部に供給され、排出側へ搬送されながら重力脱水される。脱水により濃縮された無端ベルト１０３上の汚泥は、濃縮汚泥１０８として、無端ベルト１０３の排出側端部から排出口１０９を通ってタンク１１０内に排出される。
【０００５】
このようにしてタンク１１０内に排出された濃縮汚泥１０８の濃度を濃縮汚泥濃度計１１１により測定し、測定された濃縮汚泥１０８の濃度に基づいて、高分子凝集剤１０６の注入量を調節する。
【０００６】
尚、上記のようなベルト型濃縮装置は例えば下記特許文献１に記載されている。
【先行技術文献】
【特許文献】
【０００７】
【特許文献１】特許第４２６７６７６号
【発明の概要】
【発明が解決しようとする課題】
【０００８】
しかしながら上記の従来形式では、濃縮汚泥１０８の濃度を濃縮汚泥濃度計１１１により測定する際、供給汚泥１０７が無端ベルト１０３上に供給されてから濃度測定までに要する時間が長いため、供給汚泥１０７の性状が急に変化したとき等において、迅速な対応が困難であった。
【０００９】
また、濃縮汚泥濃度計１１１の信頼性は、通常の濃度域から逸脱するような急激な変化に対して、低下する可能性があり、供給汚泥１０７の性状が急に変化したとき等において、信頼性の高い対応ができない虞があった。
【００１０】
本発明は、供給汚泥の性状が急に変化したとき等においても、迅速で、信頼度の高い対応が可能なベルト型濃縮装置の運転方法およびベルト型濃縮装置を提供することを目的とする。
【課題を解決するための手段】
【００１１】
上記目的を達成するために、本第１発明は、透水性を有する無端ベルト上で汚泥を搬送しながら重力脱水するベルト型濃縮装置の運転方法であって、
無端ベルトを通過するろ液の通過流量に基づいて、汚泥に注入する凝集剤の注入量を調節するものである。
【００１２】
これによると、無端ベルトを通過したろ液の通過流量をろ液流量測定手段で測定し、測定された通過流量の値に基づいて凝集剤の注入量を調節することによって、無端ベルトから排出される濃縮汚泥の濃度を所定の範囲内に保つことができる。このように、ろ液流量測定手段で測定したろ液の通過流量を指標としているため、従来のように濃縮汚泥濃度の測定値のみを指標とする場合に比べて、無端ベルトに供給される供給汚泥の性状が急に変化したときでも、凝集剤の注入量を調節する際に、迅速で、信頼度の高い対応が可能となる。
【００１３】
本第２発明におけるベルト型濃縮装置の運転方法は、ろ液の通過流量が第一の所定流量以下になると、凝集剤の注入量を増加させ、ろ液の通過流量が第二の所定流量以上になると、凝集剤の注入量を減少させるものである。
【００１４】
これによると、供給汚泥の性状が急に変化して、供給汚泥の濃度が上昇した場合、相対的に凝集剤の注入量が不足するため、凝集不良が発生し、無端ベルト上の供給汚泥の水抜けが悪くなって、無端ベルトを通過するろ液の通過流量が減り、無端ベルトから排出される濃縮汚泥の濃度が低下する。
【００１５】
反対に、供給汚泥の濃度が下降した場合、相対的に凝集剤の注入量が過剰になるため、過度に凝集され、無端ベルト上の供給汚泥の水抜けが過剰になって、無端ベルトを通過するろ液の通過流量が増え、無端ベルトから排出される濃縮汚泥の濃度が上昇する。
【００１６】
このような濃縮汚泥の濃度の変動を抑制するために、流量計で測定されたろ液の通過流量が第一の所定流量以下になると、凝集剤の注入量を増加させる。これにより、適正量の凝集剤が注入され、凝集不良が解消され、無端ベルト上の供給汚泥の水抜けが適正になって、無端ベルトを通過するろ液の通過流量が増加するため、無端ベルトから排出される濃縮汚泥の濃度が上昇する。
【００１７】
反対に、流量計で測定されたろ液の通過流量が第二の所定流量以上になると、凝集剤の注入量を減少させる。これにより、適正量の凝集剤が注入され、凝集不良が解消され、無端ベルト上の供給汚泥の水抜けが適正になって、無端ベルトを通過するろ液の通過流量が減少するため、無端ベルトから排出される濃縮汚泥の濃度が低下する。
【００１８】
このように、流量計で測定したろ液の通過流量を指標として、凝集剤の注入量を調節することで、濃縮汚泥の濃度を調整するため、無端ベルトに供給される供給汚泥の性状が急に変化したときでも、凝集剤の注入量を調節する際に、迅速で、信頼度の高い対応が可能となる。
【００１９】
本第３発明におけるベルト型濃縮装置の運転方法は、無端ベルトを通過するろ液の通過流量に基づいて、汚泥に注入する凝集剤の注入量を調節する第一の制御系統と、
無端ベルトから排出される濃縮汚泥の濃度に基づいて、汚泥に注入する凝集剤の注入量を調節する第二の制御系統とを有し、
第一の制御系統と第二の制御系統とを並列に実行し、
第二の制御系統における濃縮汚泥の濃度に基づいた凝集剤の注入量の一回当りの第二の増減値を、第一の制御系統におけるろ液の通過流量に基づいた凝集剤の注入量の一回当りの第一の増減値よりも、小さく設定したものである。
【００２０】
これによると、第一の制御系統と第二の制御系統とを並列に実行することによって、濃縮汚泥濃度計で測定した濃縮汚泥の濃度を指標として、凝集剤の注入量を調節することに加えて、流量計で測定したろ液の通過流量を指標として、凝集剤の注入量を調節することができる。
【００２１】
この際、濃縮汚泥の濃度に基づいた凝集剤の注入量の一回当りの第二の増減値を、ろ液の通過流量に基づいた凝集剤の注入量の一回当りの第一の増減値よりも、小さく設定しているため、仮に、濃縮汚泥濃度計の測定値の信頼度が低下する程の供給汚泥濃度の急激な変化が生じた場合でも、より直接的な指標であるろ液の通過流量の測定値を用いることで、凝集剤の注入量を調節する際の汚泥の濃縮濃度が大幅に低下する虞を防止することができ、ある程度良好な汚泥の濃縮濃度を保った迅速な対応が可能となる。
【００２２】
本第４発明におけるベルト型濃縮装置の運転方法は、無端ベルトへ供給される供給汚泥の供給流量が基準の汚泥供給流量から増減した場合、供給汚泥の供給流量と基準の汚泥供給流量との比に応じて、凝集剤の注入量を補正するものである。
【００２３】
これよると、供給汚泥の供給流量が基準の汚泥供給流量から増減した場合であっても、従来のように濃縮汚泥濃度の測定値のみを指標とする場合に比べて、無端ベルトに供給される供給汚泥の性状が急に変化しても、凝集剤の注入量を補正することにより、迅速で、信頼度の高い対応が可能となる。
【００２４】
本第５発明は、透水性を有する無端ベルト上で汚泥を搬送しながら重力脱水するベルト型濃縮装置であって、
無端ベルト上に供給される前の汚泥に凝集剤を注入する凝集剤注入手段と、
無端ベルトを通過するろ液の通過流量を測定するろ液流量測定手段と、
ろ液流量測定手段からの測定値に基づいて、凝集剤注入手段による凝集剤の注入量を調節する制御手段とを備えるものである。
【００２５】
これによると、凝集剤注入手段で凝集剤を注入された汚泥は、無端ベルト上に供給され、無端ベルトで搬送されながら重力脱水される。この際、無端ベルトを通過するろ液の通過流量がろ液流量測定手段で測定され、この測定値に基づいて、凝集剤注入手段による凝集剤の注入量が調節される。これにより、無端ベルトから排出される濃縮汚泥の濃度を所定の範囲内に保つことができる。
【００２６】
このように、ろ液流量測定手段で測定したろ液の通過流量を指標としているため、従来のように濃縮汚泥濃度の測定値のみを指標とする場合に比べて、無端ベルトに供給される供給汚泥の性状が急に変化したときでも、凝集剤の注入量を調節する際に、迅速で、信頼度の高い対応が可能となる。
【発明の効果】
【００２７】
以上のように本発明によると、ろ液流量測定手段で測定したろ液の通過流量を指標としているため、従来のように濃縮汚泥濃度の測定値のみを指標とする場合に比べて、無端ベルトに供給される供給汚泥の性状が急に変化したときでも、凝集剤の注入量を調節する際に、迅速で、信頼度の高い対応が可能となる。
【図面の簡単な説明】
【００２８】
【図１】本発明の実施の形態におけるベルト型濃縮装置の図である。
【図２】本発明の実施の形態におけるベルト型濃縮装置の供給汚泥濃度と濃縮汚泥濃度とろ液の通過流量と凝集剤の注入量との関係を示すグラフである。
【図３】本発明の実施の形態におけるベルト型濃縮装置の供給汚泥濃度と濃縮汚泥濃度とろ液の通過流量と凝集剤の注入量との関係を示すグラフである。
【図４】本発明の実施の形態におけるベルト型濃縮装置の第一の制御系統のフローチャートである。
【図５】本発明の実施の形態におけるベルト型濃縮装置の第二の制御系統のフローチャートである。
【図６】従来のベルト型濃縮装置の図である。
【発明を実施するための形態】
【００２９】
以下、本発明における実施の形態を、図面を参照して説明する。
【００３０】
（第１の実施の形態）
第１の実施の形態では、図１に示すように、１は汚泥を搬送しながら重力脱水するベルト型濃縮装置である。ベルト型濃縮装置１は、汚泥供給側に配置された回転自在な第１ローラ２と、汚泥排出側に配置された回転自在な第２ローラ３と、第２ローラ３を回転駆動させるモータ４と、両ローラ２，３間に巻回された回動自在な無端ベルト５と、無端ベルト５を洗浄する洗浄装置６と、本体カバー７と、無端ベルト５上に供給される前の供給汚泥８に凝集剤９を注入する凝集剤注入手段１０と、供給汚泥８と凝集剤９とを攪拌混合する凝集混和槽１１と、無端ベルト５を通過するろ液１４（分離液）の通過流量を測定する流量計１５（ろ液流量測定手段の一例）と、無端ベルト５から排出される濃縮汚泥１７の濃度を測定する濃縮汚泥濃度計１８と、制御手段２０等を有している。
【００３１】
無端ベルト５は透水性を有している。凝集混和槽１１には、供給汚泥８を供給する汚泥供給管路２２が接続されている。
【００３２】
凝集剤注入手段１０は、汚泥供給管路２２に接続される凝集剤注入管路２３と、凝集剤注入管路２３に設けられた凝集剤注入ポンプ２４とを有している。尚、凝集剤９には、高分子凝集剤等が使用されている。
【００３３】
両ローラ２，３と無端ベルト５と洗浄装置６とは本体カバー７内に収納されている。また、無端ベルト５は、汚泥搬送経路２６に沿って汚泥供給側から汚泥排出側へ移動する往経路部２７と、汚泥排出側から汚泥供給側へ戻る復経路部２８とを有している。
【００３４】
無端ベルト５の往経路部２７の下方には、無端ベルト５を透過したろ液１４を受ける第一の受け皿３０が設けられている。第一の受け皿３０には第一のろ液排出管路３７が接続されている。無端ベルト５の復経路部２８の下方には、第一の受け皿３０から第一のろ液排出管路３７を通って排出されたろ液１４を受ける第二の受け皿３２が設けられている。尚、第二の受け皿３２は小型のタンク３３を有している。
【００３５】
洗浄装置６は、タンク３３に回収されたろ液１４を無端ベルト５の復経路部２８に噴射する複数の噴射ノズル３４と、タンク３３内のろ液１４を各噴射ノズル３４に供給する洗浄用配管３５と、洗浄用配管３５に設けられた洗浄用ポンプ３６とを有している。
【００３６】
第二の受け皿３２には、ろ液１４をベルト型濃縮装置１の外部に排出する第二のろ液排出管路３８が接続されている。流量計１５は第二のろ液排出管路３８に設けられている。
【００３７】
本体カバー７には、無端ベルト５上から排出された濃縮汚泥１７を、外部の排出管路４３に排出する排出口４４が形成されている。排出管路４３には、排出された濃縮汚泥１７の一部を取り出して攪拌装置４５に供給する取出管路４６と、攪拌装置４５で攪拌された濃縮汚泥１７を排出管路４３に戻す戻し管路４７とが接続されている。
【００３８】
攪拌装置４５は、攪拌槽４９と、攪拌槽４９内で回転自在な攪拌羽根５０と、攪拌羽根５０を回転駆動させるモータ５１とを有している。また、濃縮汚泥濃度計１８は、例えば散乱光式の濃度計であって、攪拌装置４５に設けられている。尚、散乱光式以外の濃度計であってもよい。
【００３９】
制御手段２０は、流量計１５で測定されたろ液１４の通過流量と、濃縮汚泥濃度計１８で測定された濃縮汚泥１７の濃度とに基づいて、凝集剤注入ポンプ２４の回転数を制御することにより、凝集剤９の注入量を調節している。
【００４０】
以下、上記構成における作用を説明する。
【００４１】
ベルト型濃縮装置１を定常運転することにより、汚泥供給管路２２から凝集混和槽１１に供給される供給汚泥８に、凝集剤注入管路２３から供給される凝集剤９が注入され、供給汚泥８と凝集剤９とが凝集混和槽１１内で混合される。このようにして凝集させた供給汚泥８は、凝集混和槽１１から回動する無端ベルト５に供給され、排出側へ搬送されながら重力脱水される。
【００４２】
脱水により濃縮された無端ベルト５上の汚泥は、濃縮汚泥１７として、無端ベルト５の排出側端部から排出口４４を通って排出管路４３内に排出される。このようにして排出管路４３に排出された濃縮汚泥１７の一部は、取出管路４６から攪拌装置４５に供給され、回転する攪拌羽根５０によって攪拌され、その後、攪拌装置４５内から戻し管路４７を経て排出管路４３に戻される。この際、攪拌装置４５内の濃縮汚泥１７の濃度が濃縮汚泥濃度計１８で測定される。
【００４３】
また、無端ベルト５を通過したろ液１４は、先ず、第一の受け皿３０に受けられ、その後、第一の受け皿３０から第一のろ液排出管路３７を通ってタンク３３に排出される。尚、ベルト型濃縮装置１を定常運転している際には、タンク３３内はろ液１４で満たされ、タンク３３内のろ液１４が第二の受け皿３２にオーバーフローしている状態に保たれる。
【００４４】
また、洗浄用ポンプ３６を駆動することにより、タンク３３内のろ液１４の一部が洗浄用配管３５を流れて各噴射ノズル３４から無端ベルト５に噴射される。これにより、無端ベルト５が洗浄され、各噴射ノズル３４から噴射されたろ液１４は、第二の受け皿３２に受けられる。
【００４５】
第二の受け皿３２内のろ液１４は第二のろ液排出管路３８を通って外部に排出されるが、この際、第二のろ液排出管路３８を流れるろ液１４の単位時間当りの流量が流量計１５によって測定される。これにより、無端ベルト５を通過したろ液１４の単位時間当りの通過流量が流量計１５によって測定される。
【００４６】
制御手段２０は、ベルト型濃縮装置１を運転している際、図４に示した第一の制御系統５７のフローチャートと図５に示した第二の制御系統５８のフローチャートとを個別に並列に実行する。以下に、制御手段２０によるベルト型濃縮装置１の運転方法を、図４，図５のフローチャートおよび図２，図３に示したグラフに基づいて説明する。
【００４７】
尚、図２および図３の両グラフについて、それぞれ、横軸はベルト型濃縮装置１を運転している時刻Ｔを示し、グラフＡは凝集混和槽１１から無端ベルト５に供給される供給汚泥８の濃度［重量％］を示し、グラフＢは濃縮汚泥濃度計１８で測定された濃縮汚泥１７の濃度［重量％］を示し、グラフＣは流量計１５で測定されたろ液１４の通過流量［ｍ３／ｈ］を示し、グラフＤは凝集剤注入管路２３から供給汚泥８に注入される凝集剤９の注入量［ｍ３／ｈ］を示す。
【００４８】
また、グラフＢにおいて、第一の所定濃度Ｄ１と第二の所定濃度Ｄ２との間の範囲を適正な濃度範囲Ｐと設定し、グラフＣにおいて、第一の所定流量Ｆ１と第二の所定流量Ｆ２との間の範囲を適正な流量範囲Ｑと設定する。
【００４９】
（１）図２のグラフの時刻ｔ１において、グラフＡに示すように、供給汚泥８の性状が急に変化して、供給汚泥８の濃度が急に上昇した場合、相対的に凝集剤９の注入量が不足するため、凝集不良が発生し、無端ベルト５上の供給汚泥８の水抜けが悪くなって、無端ベルト５を通過するろ液１４の通過流量が減り、無端ベルト５から排出される濃縮汚泥１７の濃度が低下する。これにより、グラフＣで示すように流量計１５で測定されるろ液１４の通過流量が急激に減少するとともに、グラフＢで示すように濃縮汚泥濃度計１８で測定される濃縮汚泥１７の濃度が低下する。
【００５０】
この際、制御手段２０は、図４のフローチャートに示すように、第一の制御系統５７において、流量計１５で測定されたろ液１４の通過流量が下限値である第一の所定流量Ｆ１以下になると（Ｓ−１参照）、凝集剤注入管路２３から汚泥供給管路２２に注入される凝集剤９の注入量の第一の増減値を＋α［ｍ３／ｈ］とする（Ｓ−２参照）。尚、第一の増減値が＋αとは、凝集剤９の注入量をα［ｍ３／ｈ］だけ増やすことである。
【００５１】
また、制御手段２０は、図５のフローチャートに示すように、第二の制御系統５８において、濃縮汚泥濃度計１８で測定された濃縮汚泥１７の濃度が下限値である第一の所定濃度Ｄ１以下になると（Ｔ−１参照）、凝集剤注入管路２３から汚泥供給管路２２に注入される凝集剤９の注入量の第二の増減値を＋β［ｍ３／ｈ］とする（Ｔ−２参照）。尚、第二の増減値が＋βとは、凝集剤９の注入量をβ［ｍ３／ｈ］だけ増やすことである。
【００５２】
これにより、制御手段２０は、凝集剤注入ポンプ２４の回転数を上昇させて、凝集剤９の注入量を、第一の増減値＋αと第二の増減値＋βとを足し合わせた総合増減量（すなわちα＋β）だけ増加させる。このような制御により、図２のグラフの時刻ｔ１において、グラフＤで示すように、凝集剤注入管路２３から汚泥供給管路２２へ注入される凝集剤９の注入量が直前の注入量から上記総合増減量（α＋β）だけ増加し、凝集不良が解消されるため、無端ベルト５上の供給汚泥８の水抜けが適正になって、無端ベルト８を通過するろ液１４の通過流量が増加するので、無端ベルト５から排出される濃縮汚泥１７の濃度が上昇する。
【００５３】
そして、図４のフローチャートに示すように、第一の制御系統５７において、流量計１５で測定されたろ液１４の通過流量が第一の所定流量Ｆ１と第二の所定流量Ｆ２との間の適正な流量範囲Ｑ内に戻ると（Ｓ−３参照）、第一の増減値を０［ｍ３／ｈ］とする（Ｓ−４参照）。尚、第一の増減値が０とは、凝集剤９の注入量を現時点の注入量から増減しないことである。
【００５４】
また、図５のフローチャートに示すように、第二の制御系統５８において、濃縮汚泥濃度計１８で測定された濃縮汚泥１７の濃度が第一の所定濃度Ｄ１と第二の所定濃度Ｄ２との間の適正な濃度範囲Ｐ内に戻ると（Ｔ−３参照）、第二の増減値を０［ｍ３／ｈ］とする（Ｔ−４参照）。尚、第二の増減値が０とは、凝集剤９の注入量を現時点の注入量から増減しないことである。
【００５５】
これにより、制御手段２０は、第一の増減値と第二の増減値とを足し合わせた総合増減量が０になるため、凝集剤注入ポンプ２４の回転数を、昇降させず、現時点の回転数に保つ。
【００５６】
（２）また、図３のグラフの時刻ｔ２において、グラフＡに示すように、供給汚泥８の性状が急に変化して、供給汚泥８の濃度が急に下降した場合、相対的に凝集剤９の注入量が過剰になるため、凝集不良が発生し、無端ベルト５上の供給汚泥８の水抜けが過剰になって、無端ベルト５を通過するろ液１４の通過流量が増え、無端ベルト５から排出される濃縮汚泥１７の濃度が上昇する。これにより、グラフＣで示すように流量計１５で測定されるろ液１４の通過流量が急激に増加するとともに、グラフＢで示すように濃縮汚泥濃度計１８で測定される濃縮汚泥１７の濃度が上昇する。
【００５７】
この際、制御手段２０は、図４のフローチャートに示すように、第一の制御系統５７において、流量計１５で測定されたろ液１４の通過流量が上限値である第二の所定流量Ｆ２以上になると（Ｓ−５参照）、凝集剤注入管路２３から汚泥供給管路２２に注入される凝集剤９の注入量の第一の増減値を−α［ｍ３／ｈ］とする（Ｓ−６参照）。尚、第一の増減値が−αとは、凝集剤９の注入量をα［ｍ３／ｈ］だけ減らすことである。
【００５８】
また、制御手段２０は、図５のフローチャートに示すように、第二の制御系統５８において、濃縮汚泥濃度計１８で測定された濃縮汚泥１７の濃度が上限値である第二の所定濃度Ｄ２以上になると（Ｔ−５参照）、凝集剤注入管路２３から汚泥供給管路２２に注入される凝集剤９の注入量の第二の増減値を−β［ｍ３／ｈ］とする（Ｔ−６参照）。尚、第二の増減値が−βとは、凝集剤９の注入量をβ［ｍ３／ｈ］だけ減らすことである。
【００５９】
これにより、制御手段２０は、凝集剤注入ポンプ２４の回転数を低下させて、凝集剤９の注入量を、第一の増減値αと第二の増減値βとを足し合わせた総合増減量（すなわちα＋β）だけ減少させる。このような制御により、図３のグラフの時刻ｔ２において、グラフＤで示すように、凝集剤注入管路２３から汚泥供給管路２２へ注入される凝集剤９の注入量が直前の注入量から上記総合増減量（α＋β）だけ減少し、凝集不良が解消されるため、無端ベルト５上の供給汚泥８の水抜けが適正になって、無端ベルト８を通過するろ液１４の通過流量が減少するので、無端ベルト５から排出される濃縮汚泥１７の濃度が低下する。
【００６０】
そして、図４のフローチャートに示すように、第一の制御系統５７において、流量計１５で測定されたろ液１４の通過流量が適正な流量範囲Ｑ内に戻ると（Ｓ−３参照）、第一の増減値を０［ｍ３／ｈ］とする（Ｓ−４参照）。
【００６１】
また、図５のフローチャートに示すように、第二の制御系統５８において、濃縮汚泥濃度計１８で測定された濃縮汚泥１７の濃度が適正な濃度範囲Ｐ内に戻ると（Ｔ−３参照）、第二の増減値を０［ｍ３／ｈ］とする（Ｔ−４参照）。
【００６２】
これにより、制御手段２０は、第一の増減値と第二の増減値とを足し合わせた総合増減量が０になるため、凝集剤注入ポンプ２４の回転数を、昇降させず、現時点の回転数に保つ。
【００６３】
上記図４に示したＳ−１からＳ−６および図５に示したＴ−１からＴ−６の工程により、図２，図３のグラフに示すように、無端ベルト５から排出される濃縮汚泥１７の濃度を適正な濃度範囲Ｐ内に保つことができる。
【００６４】
このように、図４のフローチャートに示した第一の制御系統５７において、流量計１５で測定したろ液１４の通過流量を指標として、凝集剤９の注入量を制御することで、濃縮汚泥１７の濃度を調整するため、従来のように、第二の制御系統５８において、濃縮汚泥濃度の測定値のみを指標とする場合に比べて、無端ベルト５に供給される供給汚泥８の性状が急に変化したときでも、凝集剤９の注入量を調節する際に、迅速で、信頼度の高い対応が可能となる。
【００６５】
（３）また、図２のグラフの時刻ｔ３において、グラフＢで示すように、濃縮汚泥濃度計１８で測定された濃縮汚泥１７の濃度が第一の所定濃度Ｄ１以下に低下したが（Ｔ−１参照）、グラフＣで示すように、流量計１５で測定されたろ液１４の通過流量が適正な流量範囲Ｑ内にある場合（Ｓ−３参照）、制御手段２０は、図４のフローチャートに示すように、第一の制御系統５７において、第一の増減値を０［ｍ３／ｈ］とするとともに（Ｓ−４参照）、図５のフローチャートに示すように、第二の制御系統５８において、第二の増減値を＋β［ｍ３／ｈ］とする（Ｔ−２参照）。これにより、制御手段２０は、凝集剤注入ポンプ２４の回転数を上昇させて、凝集剤９の注入量を、第一の増減値０と第二の増減値＋βとを足し合わせた総合増減量（すなわち０＋β＝β）だけ増加させる。
【００６６】
これにより、凝集剤９の注入量が段階的に総合増減量βずつ増加し、そして、濃縮汚泥１７の濃度が適正な濃度範囲Ｐ内に戻ると（Ｔ−３参照）、第二の増減値を０［ｍ３／ｈ］とする（Ｔ−４参照）。これにより、制御手段２０は、第一の増減値と第二の増減値とを足し合わせた総合増減量が０になるため、凝集剤注入ポンプ２４の回転数を、昇降させず、現時点の回転数に保つ。
【００６７】
（４）また、図２のグラフの時刻ｔ４において、グラフＢで示すように、濃縮汚泥濃度計１８で測定された濃縮汚泥１７の濃度が第二の所定濃度Ｄ２以上に上昇したが（Ｔ−５参照）、グラフＣで示すように、流量計１５で測定されたろ液１４の通過流量が適正な流量範囲Ｑ内にある場合（Ｓ−３参照）、制御手段２０は、図４のフローチャートに示すように、第一の制御系統５７において、第一の増減値を０［ｍ３／ｈ］とするとともに（Ｓ−４参照）、図５のフローチャートに示すように、第二の制御系統５８において、第二の増減値を−β［ｍ３／ｈ］とする（Ｔ−６参照）。これにより、制御手段２０は、凝集剤注入ポンプ２４の回転数を下降させて、凝集剤９の注入量を、第一の増減値０と第二の増減値−βとを足し合わせた総合増減量（すなわちβ）だけ減少させる。
【００６８】
これにより、濃縮汚泥１７の濃度が適正な濃度範囲Ｐ内に戻ると（Ｔ−３参照）、第二の増減値を０［ｍ３／ｈ］とする（Ｔ−４参照）。これにより、制御手段２０は、第一の増減値と第二の増減値とを足し合わせた総合増減量が０になるため、凝集剤注入ポンプ２４の回転数を、昇降させず、現時点の回転数に保つ。
【００６９】
（５）また、図３のグラフの時刻ｔ５において、グラフＣで示すように、流量計１５で測定されたろ液１４の通過流量が第一の所定流量Ｆ１以下に低下したが（Ｓ−１参照）、グラフＢで示すように、濃縮汚泥濃度計１８で測定された濃縮汚泥１７の濃度が適正な濃度範囲Ｐ内にある場合（Ｔ−３参照）、制御手段２０は、図４のフローチャートに示すように、第一の制御系統５７において、第一の増減値を＋α［ｍ３／ｈ］とするとともに（Ｓ−２参照）、図５のフローチャートに示すように、第二の制御系統５８において、第二の増減値を０［ｍ３／ｈ］とする（Ｔ−４参照）。これにより、制御手段２０は、凝集剤注入ポンプ２４の回転数を上昇させて、凝集剤９の注入量を、第一の増減値＋αと第二の増減値０とを足し合わせた総合増減量（すなわちα）だけ増加させる。
【００７０】
これにより、ろ液１４の通過流量が適正な流量範囲Ｑ内に戻ると（Ｓ−３参照）、第一の増減値を０［ｍ３／ｈ］とする（Ｓ−４参照）。これにより、制御手段２０は、第一の増減値と第二の増減値とを足し合わせた総合増減量が０になるため、凝集剤注入ポンプ２４の回転数を、昇降させず、現時点の回転数に保つ。
【００７１】
（６）また、グラフに示していないが、流量計１５で測定されたろ液１４の通過流量が第二の所定流量Ｆ２以上に上昇したが（Ｓ−５参照）、濃縮汚泥濃度計１８で測定された濃縮汚泥１７の濃度が適正な濃度範囲Ｐ内にある場合（Ｔ−３参照）、制御手段２０は、図４のフローチャートに示すように、第一の制御系統５７において、第一の増減値を−α［ｍ３／ｈ］とするとともに（Ｓ−６参照）、図５のフローチャートに示すように、第二の制御系統５８において、第二の増減値を０［ｍ３／ｈ］とする（Ｔ−４参照）。これにより、制御手段２０は、凝集剤注入ポンプ２４の回転数を下降させて、凝集剤９の注入量を、第一の増減値−αと第二の増減値０とを足し合わせた総合増減量（すなわちα）だけ減少させる。
【００７２】
これにより、ろ液１４の通過流量が適正な流量範囲Ｑ内に戻ると（Ｓ−３参照）、第一の増減値を０［ｍ３／ｈ］とする（Ｓ−４参照）。これにより、制御手段２０は、第一の増減値と第二の増減値とを足し合わせた総合増減量が０になるため、凝集剤注入ポンプ２４の回転数を、昇降させず、現時点の回転数に保つ。
【００７３】
上記（１）〜（６）に示したように、制御手段２０が図４のフローチャートに示した第一の制御系統５７と図５のフローチャートに示した第二の制御系統５８とを並列に実行することによって、流量計１５で測定したろ液１４の通過流量を指標として、凝集剤９の注入量を調節することに加えて、濃縮汚泥濃度計１８で測定した濃縮汚泥１７の濃度を指標として、凝集剤９の注入量を調節することができる。
【００７４】
この際、図２および図３のグラフＤに示すように、第二の制御系統５８における第二の増減値±βの絶対値を、第一の制御系統５７における第一の増減値±αの絶対値よりも、小さく設定している。これにより、供給汚泥８の性状の緩やかな変化に対しては、上記第二の制御系統５８における濃縮汚泥１７の濃度を指標として、凝集剤９の注入量の小幅な調節を行い、供給汚泥８の性状の急激かつ大きな変化に対しては、上記第一の制御系統５７におけるろ液１４の通過流量を指標として、凝集剤９の注入量の大幅な調節を行うことが可能である。
【００７５】
上記実施の形態では、無端ベルト５を透過したろ液１４を利用して、無端ベルト５を洗浄しているが、外部から上水等の洗浄水を導入して無端ベルト５を洗浄してもよい。この場合、流量計１５では、ろ液１４と洗浄水とを合わせた流量が測定されるため、この測定値から洗浄水の流量を減算してろ液１４の流量を求めればよい。
（第２の実施の形態）
先述した第１の実施の形態では、図１に示すように、凝集混和槽１１から無端ベルト５上に供給される供給汚泥８の供給流量は、基準の汚泥供給流量（一定量）に保たれている。これに対して、第２の実施の形態では、凝集混和槽１１から無端ベルト５上に供給される供給汚泥８の供給流量が基準の汚泥供給流量から増減した場合、供給汚泥８の供給流量と基準の汚泥供給流量との比に応じて、凝集剤９の注入量を補正するものである。
【００７６】
例えば、供給汚泥８の供給流量をＸ［ｍ３／ｈ］とし、基準の汚泥供給流量をＫ［ｍ３／ｈ］とすると、供給汚泥８の供給流量Ｘと基準の汚泥供給流量Ｋとの比Ｒ（＝Ｘ／Ｋ）を図２，図３のグラフＤで示した凝集剤９の注入量に乗じることにより、凝集剤９の注入量の補正を行う。
【００７７】
これにより、供給汚泥８の供給流量Ｘが基準の汚泥供給流量Ｋから増減した場合であっても、従来のように濃縮汚泥濃度の測定値のみを指標とする場合に比べて、無端ベルト５に供給される供給汚泥８の性状が急に変化しても、上記のような凝集剤９の注入量の補正を行うことによって、迅速で、信頼度の高い対応が可能となる。
【００７８】
上記各実施の形態では、図２，図３のグラフＤは凝集剤９の注入量［ｍ３／ｈ］を示しているが、凝集剤９の注入率［％］を示してもよい。
【００７９】
上記各実施の形態では、図１に示すように、流量計１５を、第二のろ液排出管路３８に設けているが、第一のろ液排出管路３７に設けてもよい。
【符号の説明】
【００８０】
１        ベルト型濃縮装置
５        無端ベルト
８        供給汚泥
９        凝集剤
１０      凝集剤注入手段
１４      ろ液
１５      流量計（ろ液流量測定手段）
１７      濃縮汚泥
２０      制御手段
５７      第一の制御系統
５８      第二の制御系統
Ｆ１      第一の所定流量
Ｆ２      第二の所定流量
Ｘ        供給汚泥の供給流量
Ｋ        基準の汚泥供給流量
α        第一の増減値
β        第二の増減値
【図１】
2018176108.tif 000003
【図２】
2018176108.tif 000004
【図３】
2018176108.tif 000005
【図４】
2018176108.tif 000006
【図５】
2018176108.tif 000007
【図６】
2018176108.tif 000008